(57)【要約】【課題】  厚紙で先端部が下向きにカールした用紙を給紙する場合でも、用紙がサバキ部材に突っかかって詰まってしまうのを防止できる、給紙装置を提供すること。【解決手段】  給紙台３上に積み重ねられた用紙１０を上から１枚ずつ分離して搬送する給紙装置１において、積み重ねられた用紙１０の一番上の用紙を吸着して搬送方向の上流側から下流側へ搬送する吸着搬送手段２と、積み重ねられた用紙１０の下流側先端部１０１に向けて空気を吹き付ける空気吹付手段と、吸着搬送手段２により搬送される一番上の用紙１０のみの通過を許容するサバキ部材６と、を備え、サバキ部材６が、積み重ねられた用紙の先端部１０１が当接している給紙台３の下流側ガイド壁３１の、上縁３１１から上流側に向けて突出して設けられていることを特徴としている。【選択図】図１
2005239310.tif 000002
【特許請求の範囲】
【請求項１】
給紙台上に積み重ねられた用紙を上から１枚ずつ分離して搬送する給紙装置において、
積み重ねられた用紙の一番上の用紙を吸着して搬送方向の上流側から下流側へ搬送する吸着搬送手段と、
積み重ねられた用紙の下流側先端部に向けて空気を吹き付ける空気吹付手段と、
吸着搬送手段により搬送される一番上の用紙のみの通過を許容するサバキ部材と、を備え、
サバキ部材が、積み重ねられた用紙の上記先端部が当接している給紙台の下流側ガイド壁の、上縁から上流側に向けて突出して設けられていることを特徴とする給紙装置。
【請求項２】
サバキ部材が、上方に湾曲可能に設けられている、請求項１記載の給紙装置。
【発明の詳細な説明】
【技術分野】
【０００１】
本発明は、積み重ねられた用紙を上から１枚ずつ分離して搬送する、即ち給紙する、給紙装置に関するものである。
【背景技術】
【０００２】
サバキ部材を有する給紙装置としては、特許文献１に記載のものがある。この装置は、図７に示すように、給紙台３上に積み重ねられた用紙１０の一番上の用紙１０を吸着して搬送する吸着搬送手段２と、吸着搬送手段２により搬送される一番上の用紙１０のみの通過を許容するサバキ部材５と、を備えている。サバキ部材５は、用紙１０の幅方向の例えば２箇所に設けられた板体５１からなり、板体５１は、積み重ねられた用紙１０の先端部１０１が当接している給紙台３のガイド壁３１の、下流側に、上縁３１１よりも上に突出して固定されている。
【特許文献１】特開２０００−３４０５２号公報
【発明の開示】
【発明が解決しようとする課題】
【０００３】
ところで、給紙する用紙には、様々な種類や状態のものがある。平らな用紙であれば、上述したサバキ部材５で何ら不具合はない。しかしながら、平らでない用紙の場合には、上述したサバキ部材５では不具合の生じる場合があった。即ち、片面が複写されたり印刷されたりしている用紙の場合には、用紙の表裏の伸縮の差等によって、カールした状態となることがある。そして、特に、厚紙で先端部が下向きにカールした用紙を給紙する場合には、図８に示すように、用紙１０の先端部１０１がサバキ部材５に突っかかってしまい、用紙１０がサバキ部材５を越えることができないで詰まってしまうことがあった。
【０００４】
本発明は、厚紙で先端部が下向きにカールした用紙を給紙する場合において、用紙がサバキ部材に突っかかって詰まってしまうのを防止できる、給紙装置を提供することを目的としている。
【課題を解決するための手段】
【０００５】
請求項１記載の発明は、給紙台上に積み重ねられた用紙を上から１枚ずつ分離して搬送する給紙装置において、積み重ねられた用紙の一番上の用紙を吸着して搬送方向の上流側から下流側へ搬送する吸着搬送手段と、積み重ねられた用紙の下流側先端部に向けて空気を吹き付ける空気吹付手段と、吸着搬送手段により搬送される一番上の用紙のみの通過を許容するサバキ部材と、を備え、サバキ部材が、積み重ねられた用紙の上記先端部が当接している給紙台の下流側ガイド壁の、上縁から上流側に向けて突出して設けられていることを特徴としている。
【０００６】
請求項２記載の発明は、請求項１記載の発明において、サバキ部材が、上方に湾曲可能に設けられているものである。
している。
【発明の効果】
【０００７】
請求項１記載の発明によれば、吸着搬送手段によって吸着され搬送されようとする用紙の先端部が、サバキ部材の下方からサバキ部材に当接していくと、サバキ部材の先端を乗り越えてサバキ部材の上方に容易に導かれる。従って、厚紙で先端部が下向きにカールした用紙を給紙する場合でも、用紙は、先端部がサバキ部材の上方に容易に導かれ、吸着搬送手段とサバキ部材との間の大きな間隙を通って搬送される。よって、用紙がサバキ部材に突っかかって詰まってしまうのを防止できる。
【０００８】
請求項２記載の発明によれば、サバキ部材が上方に湾曲することによって、用紙の先端部をサバキ部材の上方へ更に容易に導くことができる。
【発明を実施するための最良の形態】
【０００９】
図１は本発明の給紙装置を示す側面断面模式図である。この給紙装置１は、給紙台３上に積み重ねられた用紙１０を上から１枚ずつ分離して搬送するものである。そして、給紙装置１は、積み重ねられた用紙１０の一番上の用紙１０を吸着して搬送方向上流側から下流側へ搬送する吸着搬送手段２と、積み重ねられた用紙１０の下流側の先端部１０１に向けて下流側から空気を吹き付ける空気吹付手段（図示せず）と、吸着搬送手段２により搬送される一番上の用紙１０のみの通過を許容するサバキ部材６と、を備えている。なお、用紙１０は、給紙台３上に積み重ねられ、先端部１０１が給紙台３の下流側のガイド壁３１に当接している。
【００１０】
吸着搬送手段２は、２個の回転ローラ２１間に張り渡された無端環状のベルト２２と、ベルト２２の下方に位置する用紙１０を吸い上げてベルト２２に吸着させる吸引手段（図示せず）と、で構成されており、用紙１０を、ベルト２２に吸着させた状態でベルト２２の矢印方向への移動によって下流側へ搬送するようになっている。
【００１１】
空気吹付手段は、ガイド壁３１を貫通した吹付け部（図示せず）と、吹付け部に接続した空気ブロワ（図示せず）と、を有しており、下流側から吹付け部を通して上流側に向けて空気を吐出するようになっている。
【００１２】
そして、サバキ部材６は、ガイド壁３１の上縁３１１から上流側に向けて突出して設けられている。図２は図１のサバキ部材６の平面図である。サバキ部材６は、複数個の薄板状の突起片６１が、用紙１０の幅方向Ｗに間隔を置いて並設されて構成されている。突起片６１は、例えば、ゴム、金属、又は合成樹脂からなっている。
【００１３】
次に、上記構成の給紙装置１の作動について説明する。
まず、空気吹付手段を作動させて、給紙台３上に積み重ねられた用紙１０の上部に向けて、吹付け部から空気を吐出させる。これによって、上部に位置している数枚の用紙１０の間に隙間ができ、上部の用紙１０が浮き上がって分離しやすくなる。この状態で、吸着搬送手段２の吸引手段を作動させる。これにより、分離しやすくなっている上部の用紙１０の内の一番上の用紙１０が吸い上げられて、ベルト２２に吸着される。そして、回転ローラ２１を作動させる。これにより、ベルト２２に吸着された用紙１０が、ベルト２２の移動に伴って、サバキ部材６を越えて、下流側へ向けて搬送される。
【００１４】
そして、上記構成の給紙装置１においては、給紙台３上に積み重ねられた用紙１０が、厚紙で先端部１０１が下向きにカールしたものである場合でも、サバキ部材６が次のように機能して、搬送が行われる。即ち、図３に示すように、ベルト２２に吸着され搬送されようとする用紙１０の先端部１０１は、突起片６１の下方から突起片６１に当接していくと、突起片６１の先端を乗り越えて突起片６１の上方に容易に導かれる。一方、上から２番目以降の用紙１０の先端部１０１は、突起片６１の下方に位置している。従って、用紙１０が厚紙で先端部１０１が下向きにカールしたものであっても、図１に一点鎖線で示すように、一番上の用紙１０のみがサバキ部材６を越え、吸着搬送手段２とサバキ部材６との間の大きな間隙を通って搬送される。
【００１５】
従って、上記構成の給紙装置１によれば、用紙１０が厚紙で先端部１０１が下向きにカールしたものであっても、一番上の用紙１０を、サバキ部材６の箇所で詰まらせることなく、サバキ部材６を越えさせて搬送することができ、よって、用紙１０を１枚ずつ安定して搬送することができる。
【００１６】
なお、次のような変形構造を採用してもよい。
（１）突起片６１は、後端部６１１が上方に湾曲可能となっている。これによれば、図４において一点鎖線で示すように、突起片６１の後端部６１１が上方に湾曲することによって、用紙１０の先端部１０１を突起片６１の上方へ更に容易に導くことができる。
【００１７】
（２）図５に示すように、突起片６１の後端部６１１を下方に少し傾斜させる。これによれば、用紙１０の先端部１０１を突起片６１の上方へ導きやすくなる。従って、サバキ部材６がより良好に機能することとなる。
（３）サバキ部材６を、幅方向Ｗに延びた１個の薄板状の突起片で構成する。
（４）図６に示すように、サバキ部材６の前方に、サバキ部材６に続くガイド部材９、例えばガイド板、を設ける。これによれば、サバキ部材６を越えた用紙１０を安定した状態で次へ搬送できる。
【００１８】
また、サバキ部材６を構成する突起片６１は、用紙１０の先端部１０１を上に逃がすことができる形態のものであれば、上述の薄板状に限るものではない。
【産業上の利用可能性】
【００１９】
本発明の給紙装置は、厚紙で先端部が下向きにカールした用紙でも、積み重ねられた用紙の上から１枚ずつ分離して搬送できるので、産業上の利用価値が大である。
【図面の簡単な説明】
【００２０】
【図１】本発明の給紙装置を示す側面断面模式図である。
【図２】図１のサバキ部材の平面図である。
【図３】本発明の給紙装置のサバキ部材の作動を示す側面断面部分図である。
【図４】サバキ部材の別の例の作動を示す側面断面部分図である。
【図５】サバキ部材の更に別の例を示す側面断面部分図である。
【図６】本発明の給紙装置の好ましい例を示す側面断面模式部分図である。
【図７】従来の給紙装置を示す側面断面模式図である。
【図８】従来の給紙装置における不具合の状態を示す側面断面模式図である。
【符号の説明】
【００２１】
１  給紙装置  １０  用紙  １０１  （用紙の）先端部  ２  吸着搬送手段  ３  給紙台  ３１  ガイド壁  ３１１  上縁  ６  サバキ部材
【図１】
2005239310.tif 000003
【図２】
2005239310.tif 000004
【図３】
2005239310.tif 000005
【図４】
2005239310.tif 000006
【図５】
2005239310.tif 000007
【図６】
2005239310.tif 000008
【図７】
2005239310.tif 000009
【図８】
2005239310.tif 000010